(57)【要約】【課題】  両面印刷できない用紙には片面にのみ、できる用紙には両面に、各面毎に最適な画像形成が行えるように、給紙装置に対する用紙属性の設定を可能にする。【解決手段】  トレイ開閉検知部１４０で、例えば、給紙トレイ１の開閉が検知されると、設定指示入力部１２１は、ユーザインターフェース部１１に、表面用紙属性設定画面と裏面用紙属性設定画面を選択的に表示させ、ユーザにより、表面用紙属性設定画面では給紙トレイ１に収容する用紙の表面用紙属性の設定指示を入力させ、裏面用紙属性設定画面では給紙トレイ１に収容する用紙の裏面用紙属性の設定指示を入力させる。用紙属性設定部１２２は、設定指示入力部１２１で入力された設定指示に基づく給紙トレイ１に収容する用紙の表面用紙属性と裏面用紙属性（用紙属性データ１２５）の設定を有効にする。【選択図】  図１
2007047662.tif 000002
【特許請求の範囲】
【請求項１】
用紙を収容する１または複数の給紙装置を有し、前記給紙装置から給紙された用紙に画像を形成する画像形成処理を行う画像形成装置において、
前記給紙装置に収容する用紙の表面の用紙属性と裏面の用紙属性のユーザによる設定指示を入力する属性設定指示入力手段と、
前記属性設定指示入力手段で入力された前記設定指示に基づく前記給紙装置に収容する用紙の表面用紙属性と裏面用紙属性の設定を有効にする属性設定手段と、
前記属性設定手段で有効に設定された表面用紙属性と裏面用紙属性に基づき前記給紙装置から給紙された用紙の表面と裏面に対する画像の形成をそれぞれ制御する画像形成制御手段と
を具備することを特徴とする画像形成装置。
【請求項２】
前記属性設定指示手段は、
前記表面用紙属性と裏面用紙属性を分けて表面と裏面別々に設定指示を入力し、
前記属性設定手段は、
前記属性設定指示手段により入力された前記設定指示に基づき表面と裏面別々に該当する用紙属性を有効に設定する
ことを特徴とする請求項１記載の画像形成装置。
【請求項３】
前記属性設定指示手段は、
前記表面用紙属性と裏面用紙属性のうちの片面のみの用紙属性の設定指示を入力し、
前記属性設定手段は、
前記属性設定指示手段により入力された前記設定指示に基づき用紙の片面のみ該当する用紙属性を有効に設定する
ことを特徴とする請求項１または２記載の画像形成装置。
【請求項４】
前記属性設定手段は、
用紙の片面のみ用紙属性が設定された場合、用紙属性が設定された面の用紙属性を用紙属性が設定されなかった他の面の用紙属性として適用する
ことを特徴とする請求項１乃至３のいずれか記載の画像形成装置。
【請求項５】
前記属性設定指示手段は、
該当する面の用紙属性を有効にするか無効にするかを指定する印刷面属性の表面と裏面別々の設定指示を入力し、
前記属性設定手段は、
前記属性設定指示手段により入力された、有効にすることを指示する前記印刷面属性の設定指示に基づき該当する面の用紙属性を一括して有効に設定し、無効にすることを指示する前記印刷面属性の設定指示に基づき該当する面の用紙属性を一括して無効に設定する
ことを特徴とする請求項１乃至４のいずれか記載の画像形成装置。
【請求項６】
両面印刷指示の受付け時、給紙元に決定された給紙装置に収容される用紙の少なくとも片面の印刷面属性が無効に設定されているかを判定する判定手段と、
前記判定手段により、前記用紙の印刷面属性が無効に設定されていると判定された場合、前記印刷面属性が無効である旨の警告を報知する警告報知手段と
を具備することを特徴とする請求項５記載の画像形成装置。
【請求項７】
両面印刷指示の受付け時に用紙の印刷面属性が無効に設定されている場合に前記警告報知を行うか否かを選択的に設定する警告報知選択設定手段
を具備し、
前記警告報知選択設定手段による設定に応じて前記警告報知手段による前記警告報知を行うか否かを制御する
ことを特徴とする請求項６記載の画像形成装置。
【請求項８】
前記判定手段により、前記用紙の印刷面属性が無効に設定されていると判定された場合、前記両面印刷指示を無効または保留にする印刷面属性無効時適応制御手段
を具備することを特徴とする請求項６または７記載の画像形成装置。
【請求項９】
両面印刷指示の受付け時に用紙の印刷面属性が無効に設定されている場合に両面印刷指示を無効にするか保留にするかを設定する制御選択設定手段
を具備し、
前記制御選択設定手段による設定に応じて前記両面印刷指示を無効にするか保留にするかを制御する
ことを特徴とする請求項８記載の画像形成装置。
【請求項１０】
前記判定手段により、前記用紙の印刷面属性が無効に設定されていると判定された場合、該用紙に自動で片面印刷を行う印刷面属性無効時片面印刷制御手段
を具備することを特徴とする請求項６乃至９のいずれか記載の画像形成装置。
【請求項１１】
両面印刷指示の受付け時に用紙の印刷面属性が無効に設定されている場合に自動片面印刷を行うか否かを設定する片面印刷選択設定手段
を具備し、
前記片面印刷選択設定手段による設定に応じて前記自動片面印刷を行うか否かを制御する
ことを特徴とする請求項１０記載の画像形成装置。
【請求項１２】
用紙を収容する１または複数の給紙装置を有し、前記給紙装置から給紙された用紙に画像を形成する画像形成処理を行う画像形成装置の制御方法において、
前記給紙装置に収容する用紙の表面の用紙属性と裏面の用紙属性のユーザによる設定指示を属性設定指示入力手段により入力し、
前記属性設定指示入力手段で入力された前記設定指示に基づく前記給紙装置に収容する用紙の表面用紙属性と裏面用紙属性の設定を属性設定手段により有効にし、
前記属性設定手段で有効に設定された表面用紙属性と裏面用紙属性に基づき前記給紙装置から給紙された用紙の表面と裏面に対する画像の形成を画像形成制御手段によりそれぞれ制御する
ことを特徴とする画像形成装置の制御方法。
【発明の詳細な説明】
【技術分野】
【０００１】
本発明は、用紙を収容する１または複数の給紙装置を有し、この給紙装置から給紙された用紙に画像を形成する画像形成処理を行う画像形成装置およびその制御方法に関し、詳しくは、両面印刷できない用紙には片面にのみ、できる用紙には両面に、各面毎に最適な画像形成を行う給紙装置対用紙属性の対応付け設定を可能にする画像形成装置及びその制御方法に関する。
【背景技術】
【０００２】
一般に、給紙装置に収容された用紙に画像を形成する際、その用紙のサイズや紙種によって最適な速度や温度で画像形成を行ったり、用紙の給紙時おける用紙間の密着を解くために用紙に適した強さや時間でエアーを吹き付ける機能を持つ画像形成装置は知られている。
【０００３】
従来、これらの動作を制御する用紙属性(用紙パラメータ)は、そのサイズや紙種(コート紙・非コート紙)などとあまり多くなく、そのために、その設定も給紙装置に設置された設定スイッチを用いて設定するのが普通であった。
【０００４】
このような場合、給紙装置を開けて用紙を収容する際、同時に設定スイッチにより用紙属性を設定してから給紙装置を閉めることで、給紙装置に収容された用紙とその用紙に設定された各種属性は、設定スイッチの選択ミスを除けば常に一致しており、給紙装置に収容された用紙に最適な制御が可能であった。
【０００５】
しかし近年、画像形成装置で制御可能な紙種や、最適な画像形成を行うための用紙属性がより細分化され多種に及んだため、従来のように、用紙属性の設定を給紙装置に設置された設定スイッチですべて行うことが困難となり、また、コスト低減のために設定スイッチそのものを設けない機種も出てきている。
【０００６】
そこで、設定スイッチを用いずに多種の用紙属性を設定する方法として、例えば、特許文献１、特許文献２に示すように、画像形成装置に備えられたユーザインターフェース装置を用いて設定したり、また、ネットワーク等を介して接続されるパーソナルコンピュータなどから、各種用紙属性を設定する構成が提案されている。
【０００７】
また、特許文献２には、メインコントローラ２０及び操作部３０等を用いて転写紙のサイズおよび紙種を設定する技術が開示されている。
【０００８】
また、特許文献３には、フューザコントローラ３６に設けられる温度調節ボリューム３７によりフューザの温度を調整する一方、コンソールパネル上の用紙圧選択スイッチを操作して用紙圧を設定する技術が開示されている。
【特許文献１】特開２００３−２７０８７２号公報
【特許文献２】米国特許第５，２２９，８１４号公報
【特許文献３】特開２００３−１７３１１１号公報
【特許文献４】特開昭６３−１０９４８２号公報
【発明の開示】
【発明が解決しようとする課題】
【０００９】
ところで、上述した、最適な画像形成を行うための用紙属性の細分化、多様化の流れの中には、片面にのみ最適な画像形成を行いたいという要望も含まれる。
【００１０】
例えば、ＯＨＰシートを用いる場合には、両面に印字すると表と裏の画像が重なって印刷物として用をなさないため、片面にのみ印刷することが必要になる。
【００１１】
また、近年、リサイクルなどで裏紙を利用する場合や、片面にのみ印字可能な用紙（例えば、片面が既に印刷された用紙）を用いるケースも増えてきており、この場合にも片面にのみ印刷可能にする用紙属性の設定が望まれる。
【００１２】
こうした要望に対して、特許文献１乃至４等の公知文献には、画像形成装置に備えられたユーザインターフェース装置やネットワーク等を介して接続されるパーソナルコンピュータなどから、各種用紙属性を設定する方法は提案されるものの、用紙の片面にのみ最適な画像形成を可能にする用紙属性の設定機能は提案されていなかった。
【００１３】
このため、従来は、ＯＨＰシートや裏紙が給紙装置に収容されているにも拘わらず、該給紙装置に収容された用紙を対象にした両面印刷指示があれば、該用紙の両面に印字してしまい（用をなさない印刷物が得られる）、結果的に、印刷に費やす時間と用紙を無駄にしてしまうという問題点があった。
【００１４】
また、用紙属性の細分化、多様化の別の流れとしては、両面印刷可能な用紙ではあるが、表と裏では上面の用紙属性が異なる用紙を用いて当該用紙の両面に各面毎にその用紙属性に合致した最適な画像形成を行いたいという要望もある。
【００１５】
従来、この種の用紙を給紙装置に収容して両面印刷を行う場合、表と裏で同じ用紙属性を適用して画像形成を行うのが一般的であり、必ずしも、表と裏の各面に当該各面の用紙属性に適した最適な画像形成を行うことができないという問題点があった。
【００１６】
本発明は、上記問題点を解消し、両面印刷ができない用紙、できる用紙を識別し、それぞれの用紙の片面あるいは両面に各面毎に最適な画像形成が行えるように用紙の各種属性を給紙装置に対応付けて正確かつ容易に設定可能な画像形成装置及び画像形成方法を提供することを目的とする。
【課題を解決するための手段】
【００１７】
上記目的を達成するため、請求項１の発明は、用紙を収容する１または複数の給紙装置を有し、前記給紙装置から給紙された用紙に画像を形成する画像形成処理を行う画像形成装置において、前記給紙装置に収容する用紙の表面の用紙属性と裏面の用紙属性のユーザによる設定指示を入力する属性設定指示入力手段と、前記属性設定指示入力手段で入力された前記設定指示に基づく前記給紙装置に収容する用紙の表面用紙属性と裏面用紙属性の設定を有効にする属性設定手段と、前記属性設定手段で有効に設定された表面用紙属性と裏面用紙属性に基づき前記給紙装置から給紙された用紙の表面と裏面に対する画像の形成をそれぞれ制御する画像形成制御手段とを具備することを特徴とする。
【００１８】
請求項２記載の発明は、上記請求項１記載の発明において、前記属性設定指示手段は、前記表面用紙属性と裏面用紙属性を分けて表面と裏面別々に設定指示を入力し、前記属性設定手段は、前記属性設定指示手段により入力された前記設定指示に基づき表面と裏面別々に該当する用紙属性を有効に設定することを特徴とする。
【００１９】
請求項３記載の発明は、上記請求項１または２記載の発明において、前記属性設定指示手段は、前記表面用紙属性と裏面用紙属性のうちの片面のみの用紙属性の設定指示を入力し、前記属性設定手段は、前記属性設定指示手段により入力された前記設定指示に基づき用紙の片面のみ該当する用紙属性を有効に設定することを特徴とする。
【００２０】
請求項４記載の発明は、上記請求項１乃至３のいずれか記載の発明において、前記属性設定手段は、用紙の片面のみ用紙属性が設定された場合、用紙属性が設定された面の用紙属性を用紙属性が設定されなかった他の面の用紙属性として適用することを特徴とする。
【００２１】
請求項５記載の発明は、上記請求項１乃至４のいずれか記載の発明において、前記属性設定指示手段は、該当する面の用紙属性を有効にするか無効にするかを指定する印刷面属性の表面と裏面別々の設定指示を入力し、前記属性設定手段は、前記属性設定指示手段により入力された、有効にすることを指示する前記印刷面属性の設定指示に基づき該当する面の用紙属性を一括して有効に設定し、無効にすることを指示する前記印刷面属性の設定指示に基づき該当する面の用紙属性を一括して無効に設定することを特徴とする。
【００２２】
請求項６記載の発明は、上記請求項５記載の発明において、両面印刷指示の受付け時、給紙元に決定された給紙装置に収容される用紙の少なくとも片面の印刷面属性が無効に設定されているかを判定する判定手段と、前記判定手段により、前記用紙の印刷面属性が無効に設定されていると判定された場合、前記印刷面属性が無効である旨の警告を報知する警告報知手段とを具備することを特徴とする。
【００２３】
請求項７記載の発明は、上記請求項６記載の発明において、両面印刷指示の受付け時に用紙の印刷面属性が無効に設定されている場合に前記警告報知を行うか否かを選択的に設定する警告報知選択設定手段を具備し、前記警告報知選択設定手段による設定に応じて前記警告報知手段による前記警告報知を行うか否かを制御することを特徴とする。
【００２４】
請求項８記載の発明は、上記請求項６または７記載の発明において、前記判定手段により、前記用紙の印刷面属性が無効に設定されていると判定された場合、前記両面印刷指示を無効または保留にする印刷面属性無効時適応制御手段を具備することを特徴とする。
【００２５】
請求項９記載の発明は、上記請求項８記載の発明において、両面印刷指示の受付け時に用紙の印刷面属性が無効に設定されている場合に両面印刷指示を無効にするか保留にするかを設定する制御選択設定手段を具備し、前記制御選択設定手段による設定に応じて前記両面印刷指示を無効にするか保留にするかを制御することを特徴とする。
【００２６】
請求項１０記載の発明は、上記請求項６乃至９のいずれか記載の発明において、前記判定手段により、前記用紙の印刷面属性が無効に設定されていると判定された場合、該用紙に自動で片面印刷を行う印刷面属性無効時片面印刷制御手段を具備することを特徴とする。
【００２７】
請求項１１記載の発明は、上記請求項１０記載の発明において、両面印刷指示の受付け時に用紙の印刷面属性が無効に設定されている場合に自動片面印刷を行うか否かを設定する片面印刷選択設定手段を具備し、前記片面印刷選択設定手段による設定に応じて前記自動片面印刷を行うか否かを制御することを特徴とする。
【００２８】
請求項１２記載の発明は、用紙を収容する１または複数の給紙装置を有し、前記給紙装置から給紙された用紙に画像を形成する画像形成処理を行う画像形成装置の制御方法において、前記給紙装置に収容する用紙の表面の用紙属性と裏面の用紙属性のユーザによる設定指示を属性設定指示入力手段により入力し、前記属性設定指示入力手段で入力された前記設定指示に基づく前記給紙装置に収容する用紙の表面用紙属性と裏面用紙属性の設定を属性設定手段により有効にし、前記属性設定手段で有効に設定された表面用紙属性と裏面用紙属性に基づき前記給紙装置から給紙された用紙の表面と裏面に対する画像の形成を画像形成制御手段によりそれぞれ制御することを特徴とする。
【発明の効果】
【００２９】
本発明は、給紙装置に収容する用紙の表面の用紙属性と裏面の用紙属性のユーザによる設定指示を属性設定指示入力手段により入力し、該入力された設定指示に基づく給紙装置に収容する用紙の表面用紙属性と裏面用紙属性の設定を属性設定手段により有効にしたうえで、該有効に設定された表面用紙属性と裏面用紙属性に基づき給紙装置から給紙された用紙の表面と裏面に対する画像の形成をそれぞれ制御する構成を有する。
【００３０】
かかる構成によれば、ユーザが、給紙装置に収容する両面印刷ができない用紙の印刷を希望する片面の用紙属性（表面用紙属性または裏面用紙属性）の設定指示を入力すると、該入力された設定指示に基づく給紙装置に収容する用紙の該当する面（片面）の用紙属性の設定が有効に設定されるため、その後、印刷指示を受けて給紙元として決定した当該給紙装置から用紙を給紙して印刷する際、該給紙装置に収容される両面印刷ができない用紙に対して有効に設定された片面の用紙属性から両面印刷ができない用紙であることを認識でき、更に、該設定された片面の用紙属性に基づき該当する面（片面）にのみ最適な画像を形成することができる。
【００３１】
また、上記構成によれば、ユーザが、給紙装置に収容する両面印刷可能な用紙の表面用紙属性と裏面用紙属性の設定指示を入力すると、該入力された設定指示に基づく給紙装置に収容する用紙の表面と裏面の用紙属性の設定が有効に設定されるため、その後、印刷指示を受けて給紙元として決定した当該給紙装置から用紙を給紙して印刷する際、該給紙装置に収容される両面印刷可能な用紙に対して有効に設定された表面と裏面の用紙属性から両面印刷が可能である用紙であることを認識でき、更に、該用紙の表面及び裏面に、各々該当する面の用紙属性に基づく画像形成を施すことで各面共に最適な画像形成がなされた両面印刷を実現できる。
【発明を実施するための最良の形態】
【００３２】
以下、本発明に係る画像形成装置およびその制御方法の実施例を添付図面を参照して詳細に説明する。
【００３３】
図１は、本発明に係る画像形成装置およびその制御方法が提供される画像形成装置の一概略構成例を示すブロック図である。
【００３４】
図１において、この画像形成装置１０は、ネットワーク２０を経由してプリント制御装置３０、画像読取装置４０、情報処理装置５０−１〜５０−ｎが接続されている。
【００３５】
ここで、プリント制御装置３０は、画像形成装置１０を用いた各種文書の印刷制御を行うもので、プリントサーバを構成するものである。
【００３６】
また、画像読取装置４０は、画像形成装置１０を用いて印刷する画像を読み取るもので、ネットワークスキャナとして構成される。
【００３７】
また、情報処理装置５０−１〜５０−ｎは、画像形成装置１０を用いて印刷する文書の処理を行うもので、例えば、各ユーザのパーソナルコンピュータ（ＰＣ）がこれに相当する。
【００３８】
ここで、プリント制御装置３０、画像読取装置４０、情報処理装置５０−１〜５０−ｎは、本発明に係る画像形成装置１０の各給紙トレイの用紙属性の設定指示等を入力するユーザインターフェース部（図示せず）をそれぞれ有している。
【００３９】
一方、画像形成装置１０は、ユーザインターフェース部１１、制御部１２、画像形成部１３を具備して構成される。
【００４０】
ここで、ユーザインターフェース部１１は、画像形成装置１０の各給紙トレイの用紙属性の設定指示等を入力するものである。
【００４１】
また、制御部１２は、画像形成部１３を制御するもので、ユーザインターフェース部１１からの各給紙トレイの用紙属性の設定指示およびプリント制御装置３０、画像読取装置４０、情報処理装置５０−１〜５０−ｎからの各給紙トレイの用紙属性の設定指示を入力する設定指示入力部１２１、設定指示入力部１２１で入力された設定指示に基づき各給紙トレイの用紙属性の設定を有効にする用紙属性設定部１２２を有している。
【００４２】
また、画像形成制御部１３は、複数の給紙トレイ、すなわち、給紙トレイ１３１ａ（給紙トレイ１）、給紙トレイ１３１ｂ（給紙トレイ２）、給紙トレイ１３１ｃ（給紙トレイ３）、給紙トレイ１３１ｄ（給紙トレイ４）を有するとともに、各給紙トレイ１３１（１３１ａ，１３１ｂ，１３１ｃ，１３１ｄ）の開閉を検出するトレイ開閉検出部１４０が設けられている。
【００４３】
このように、本発明は、用紙を収容する１または複数の給紙装置（給紙トレイ１３１）を有する画像形成装置１０に適用されるもので、この画像形成装置１０に直接接続されたユーザインターフェース部１１若しくはこの画像形成装置１０にネットワーク２０または専用線（図示せず）で接続された画像読取装置４０または情報処理装置５０（５０−１，…，５０−ｎ）等の他の端末からの各給紙トレイ１３１に収納された用紙の属性のユーザ指示を各給紙トレイ１３１の実際の用紙の属性に確実に反映させるようにして各給紙トレイ１３１から給紙された用紙に対する最適な画像形成を可能にするものである。
【００４４】
特に、本発明の画像形成装置１０では、ユーザインターフェース部１１若しくは他端末（プリント制御装置３０、画像読取装置４０、情報処理装置５０等）のユーザインターフェース部から、各給紙トレイ１３１に収容する用紙の属性として、該用紙の表面の用紙属性と裏面の用紙属性を別々に、または片面のみに設定可能とし、これにより、ＯＨＰシートや裏紙等の両面印刷できない用紙には片面にのみ、また、両面印刷できる用紙には両面に、各面毎に最適な画像形成を行えるようにしたものである。
【００４５】
画像形成装置１０に直接接続されたユーザインターフェース部１１若しくは他端末のユーザインターフェース部からの各給紙トレイ１３１に収納された用紙の属性をユーザ指示する場合は、各給紙トレイ１３１に用紙を収納するタイミングと上記ユーザ指示のタイミングとが異なる場合がある。
【００４６】
すなわち、このようなケースとしては、
１）給紙トレイ１３１を開閉して用紙を収容した後にユーザインターフェース部１１若しくは他の端末を用いて用紙の属性設定指示を行う場合
２）ユーザインターフェース部１１若しくは他の端末を用いて用紙の属性設定指示を行った後、給紙トレイ１３１を開閉して用紙を収容する場合、
３）給紙トレイ１３１を開いて用紙を収容してからユーザインターフェース部１１若しくは他の端末を用いて用紙の属性設定指示を行ない、その後給紙トレイ１３１を閉じる場合
がある。
【００４７】
本発明に係わる画像形成装置１０では、上記１）のケースにおいては、給紙トレイ１３１の開閉をトレイ開閉検知部１４０で検知した後、例えば、ユーザインターフェース部１１からの用紙属性の設定が完了するまでの間、当該給紙トレイ１３１を使用不可状態に設定することで、上記２）のケースにおいては、例えば、ユーザインターフェース部１１からの用紙属性の設定が開始された後、給紙トレイ１３１の開閉がトレイ開閉検知部１４０で検知されるまでの間、当該給紙トレイ１３１を使用不可状態に設定することで、また、上記３）のケースにおいては、給紙トレイ１３１の開がトレイ開閉検知部１４０で検知された後、給紙トレイ１３１の閉がトレイ開閉検知部１４０で検知されるまでの間、当該給紙トレイ１３１を使用不可状態に設定することで、それぞれ、給紙トレイ１３１に用紙を収容するタイミングとユーザインターフェース部１１や他端末からその用紙に対応する各種属性を設定するタイミングを合致せしめ、ユーザが指定した用紙属性と、給紙トレイ１３１にセットされた用紙の用紙属性との整合性を可能な限り保証可能にすることによって、用紙とその用紙に設定された各種属性が一致しない期間が存在したり、ユーザが各種属性の設定を忘れて一致しない状態が継続するなど、最適な画像形成制御ができずに紙詰まりや画質不良の原因となってしまう状態が発生し得ないようにしている。
【００４８】
以下の各実施例においては、上記１）のケース（給紙トレイ１３１を開閉して用紙を収容した後にユーザインターフェース部１１若しくは他の端末を用いて用紙の属性設定指示を行う場合）を前提にして、画像形成装置１０における用紙の属性設定処理について説明する。
【実施例１】
【００４９】
図２は、実施例１に係わる画像形成装置１０の制御部１２における用紙属性設定に関する処理を示すフローチャートである。
【００５０】
本実施例では、図２のフローチャートに示す一連の処理中、ステップＳ１０４〜Ｓ１０８において、各給紙トレイ１３１に収容する用紙についてその表面と裏面に対応する表面用紙属性と裏面用紙属性を設定可能にすることを特徴とする。
【００５１】
この場合において、用紙の属性設定指示は、画像形成装置１０のユーザインターフェース部１１を用いて行うことを前提に説明する。
【００５２】
図２の処理において、制御部１２は、画像形成部１３のトレイ開閉検出部１４０の出力を監視して、まず、画像形成部１３の給紙トレイ１３１ａ〜１３１ｄのいずれかで開閉があったかを調べる（ステップ１０１）。
【００５３】
ここで、給紙トレイ１３１ａ〜１３１ｄのいずれも開閉されていない場合（ステップ１０１でＮＯ）は、ステップ１０１に戻るが、給紙トレイ１３１ａ〜１３１ｄのいずれかが開閉されていると（ステップ１０１でＹＥＳ）、次に、この開閉が検出された給紙トレイ１３１が用紙属性設定要求をすると設定されているかを調べる（ステップ１０２）。
【００５４】
すなわち、この実施例においては、図３に示すような、用紙属性設定の要求設定画面３００を用いて、画像形成部１３の給紙トレイ１３１ａ〜１３１ｄに対応してトレイ開閉時に用紙属性の設定指示をユーザに対して要求するか否かを予め設定できるように構成されている。
【００５５】
この用紙属性設定の要求設定画面３００は、用紙属性設定の要求設定時にユーザインターフェース部１１に表示される。
【００５６】
図３に示す用紙属性設定の要求設定画面３００において、例えば、給紙トレイ１３１ａ（給紙トレイ１）および給紙トレイ１３１ｂ（給紙トレイ２）に対しては、トレイ開閉時に用紙属性の設定指示をユーザに対して要求し、給紙トレイ１３１ｃ（給紙トレイ３）および給紙トレイ１３１ｄ（給紙トレイ４）に対しては、トレイ開閉時に用紙属性の設定指示をユーザに対して要求しない場合は、給紙トレイ１３１ａ（給紙トレイ１）および給紙トレイ１３１ｂ（給紙トレイ２）に対して「要求する」を選択し、給紙トレイ１３１ｃ（給紙トレイ３）および給紙トレイ１３１ｄ（給紙トレイ４）に対して「要求しない」を選択して、「決定」ボタン３０１を押すことによりこの設定がなされる。
【００５７】
ここで、用紙属性設定の要求設定は、常に同一の用紙属性の用紙が収容される給紙トレイに対しては「要求しない」に設定され、トレイを開閉する度に異なる用紙属性の用紙が収容される可能性のある給紙トレイに対しては「要求する」に設定される。
【００５８】
この設定がなされた状態で、例えば、ステップ１０１で、給紙トレイ１３１ｃ（給紙トレイ３）の開閉が検出された場合は、この給紙トレイ１３１ｃ（給紙トレイ３）は「要求しない」と設定されているので、ステップ１０２で、給紙トレイが用紙属性設定要求に設定されていないと判断され（ステップ１０２でＮＯ）、この場合は、このままこの処理を終了する。
【００５９】
また、例えば、ステップ１０１で、給紙トレイ１３１ａ（給紙トレイ１）の開閉が検出された場合は、この給紙トレイ１３１ａ（給紙トレイ１）は「要求する」と設定されているので、ステップ１０２で、給紙トレイが用紙属性設定要求に設定されていると判断される（ステップ１０２でＹＥＳ）。
【００６０】
この場合は、給紙トレイ１３１ａ（給紙トレイ１）を使用不可状態に設定して（ステップ１０３）、図４に示す用紙属性設定選択画面３１０をユーザインターフェース部１１に表示する（ステップ１０４）。
【００６１】
この用紙属性設定選択画面３１０は、開閉された用紙トレイ１３１ａ（用紙トレイ１）に対する用紙属性の設定を促すメッセージ「トレイ１が開閉されました。用紙属性を設定して下さい。」３１１と、用紙の表面の属性（表面用紙属性）の設定を選択する旨を指示する「表面用紙属性の設定」ボタン３１２と、用紙の裏面の属性（裏面用紙属性）の設定を選択する旨を指示する「裏面用紙属性の設定」ボタン３１３と、当該画面の表示を終了する旨を指示する「閉じる」ボタン３１４が表示されて成る。
【００６２】
この用紙属性設定選択画面３１０で「閉じる」ボタン３１４が押されると、この用紙属性設定選択画面３１０は閉じられる。
【００６３】
これに対し、用紙属性設定選択画面３１０で「表面用紙属性の設定」ボタン３１２を押すと、図５（ａ）に示す表面用紙属性設定画面３２０ａが表示される（ステップＳ１０５）。
【００６４】
この表面用紙属性設定画面３２０ａには、それまで給紙トレイ１３１ａ（給紙トレイ１）に収容されていた用紙の表面の用紙属性の設定値、例えば、「２ｎｄＢＴＢ電圧＝５０％」、「用紙カール量＝タイプＥ６」、「ＮＩＰ電圧＝３０パルス」、「エアアシスト動作＝動作させる」が表示される。
【００６５】
ここで、これら各項目の表面用紙属性をそのまま用いる場合は、そのままの状態で、また、この表面用紙属性を変更する場合は所望の項目の表面用紙属性を所望の値に変更した後、反対の面である裏面用紙属性を設定するかどうかを決定する。
【００６６】
そして、裏面用紙属性を設定する必要がなければ、この状態で「決定ボタン」３２１ａを押し、もし、裏面用紙属性を設定する必要があれば、「反対面」ボタン３２２ａを押す。
【００６７】
表面用紙属性設定画面３２０ａ上で「反対面」ボタン３２２ａが押されると、図５（ｂ）に示す裏面用紙属性設定画面３２０ｂが表示される（ステップＳ１０５）。
【００６８】
この裏面用紙属性設定画面３２０ｂには、それまで給紙トレイ１３１ａ（給紙トレイ１）に収容されていた用紙の裏面の用紙属性の属性値、例えば、「２ｎｄＢＴＢ電圧＝１５０％」、「用紙カール量＝タイプＥ５」、「ＮＩＰ電圧＝３０パルス」、「エアアシスト動作＝動作させない」が表示される。
【００６９】
ここで、これら各項目の裏面用紙属性をそのまま用いる場合は、そのままの状態で、また、この裏面用紙属性を変更する場合は所望の項目の裏面用紙属性を所望の値に変更した後、表面用紙属性を設定（修正）するかどうかを決定する。
【００７０】
そして、裏面用紙属性を設定（修正）する必要がなければ、この状態で「決定ボタン」３２１ｂを押し、もし、表面用紙属性を設定（修正）する必要があれば、「反対面」ボタン３２２ｂを押し、表面用紙属性設定画面３２０ａを切換え表示した状態で表面用紙属性を再設定（修正）する。
【００７１】
同様に、図４に示す用紙属性設定選択画面３１０上で「裏面用紙属性の設定」ボタン３１３を押して、図５（ｂ）に示す裏面用紙属性設定画面３２０ｂを表示し（ステップＳ１０５）、裏面用紙属性を設定した後、「反対面」ボタン３２２ｂを押して図５（ａ）に示す表面用紙属性設定画面３２０ａを切換え表示し（ステップＳ１０５）、表面用紙属性を設定することも可能である。
【００７２】
表面用紙属性設定画面３２０ａ、若しくは裏面用紙属性設定画面３２０ｂで「決定ボタン」３２２ａ、若しくは３２２ｂが押されると、その時点における表面用紙属性の設定内容、若しくは裏面用紙属性の設定内容が設定指定入力として設定指示入力部１２１から用紙属性設定部１２２に通知される。
【００７３】
設定指示入力部１２１が、表面用紙属性設定画面３２０ａと裏面用紙属性設定画面３２０ｂを切換え表示（ステップＳ１０５）しながら、表面及び裏面の用紙属性設定指示の入力を受付ける処理（ステップＳ１０６）を継続中、用紙属性設定部１２２は、表面用紙属性設定画面３２０ａ、裏面用紙属性設定画面３２０ｂによる設定指示入力を確定する指示（「決定」ボタン３２１ａ，３２１ｂの押下）があったかを調べる（ステップ１０７）。
【００７４】
ここで、設定指示入力を確定する指示があると（ステップ１０７でＹＥＳ）、用紙属性設定部１２２は、それまでに表面用紙属性設定画面３２０ａで設定指示入力された各項目の表面用紙属性、及び裏面用紙属性設定画面３２０ｂで設定指示入力された各項目の裏面用紙属性を有効にする用紙属性設定処理を行う（ステップ１０８）。
【００７５】
その後、制御部１２は、上記ステップ１０３で設定されたこの給紙トレイ１３１ａ（給紙トレイ１）の使用不可状態を解除し（ステップ１０９）、用紙属性設定通知を行って（ステップ１１０）、この処理を終了する。
【００７６】
なお、ステップ１１０における用紙属性設定通知は、ユーザインターフェース部１１に、例えば、図６に示す用紙属性設定確認画面３３０を表示することにより実現できる。
【００７７】
図６に示す用紙属性設定確認画面３３０には、給紙トレイ１の用紙属性が設定された旨「トレイ１の用紙属性が設定されました。」が表示されており、この用紙属性設定確認画面３３０は、「閉じる」ボタン３３１を押すことにより閉じられる。
【００７８】
本実施例では、この用紙属性設定確認画面３３０において、表面用紙属性と裏面用紙属性の設定状況（設定／未設定）を別々に表示するようにしても良い。
【００７９】
また、例えば、図５（ａ），（ｂ）に示す表面用紙属性，裏面用紙属性の設定内容をそのまま用紙属性設定確認画面３３０に表示する方法も考えられる。
【００８０】
図２に示す一連の処理によって、表面用紙属性設定画面３２０ａ、裏面用紙属性設定画面３２０ｂを用いて入力された該当給紙トレイ１に対する表面用紙属性及び裏面用紙属性の設定指示が有効に設定された後は、画像形成部１３における画像形成や用紙の制御、エアーの吹き付け等がこの有効にされた表面用紙属性及び裏面用紙属性に基づき該当する各面の印刷時毎に制御される。この印刷制御については、図１２及び図１３を参照して後で詳しく説明する。
【００８１】
なお、上記実施例においては、用紙の属性（表面用紙属性／裏面用紙属性）の設定指示を画像形成装置１０のユーザインターフェース部１１を用いて行う場合について説明したが、用紙の属性設定指示をプリント制御装置３０、画像読取装置４０、情報処理装置５０−１〜５０−ｎのユーザインターフェース部を用いて行う場合も同様に構成することができる。
【００８２】
また、本実施例では、給紙トレイ１３１の開閉により用紙属性設定画面３１０が表示された後の用紙属性処理において、ユーザインターフェース部１１から、表面用紙属性設定画面３２０ａと裏面用紙属性設定画面３２０Ｂを用い、表面用紙属性と裏面用紙属性を分けて表面と裏面別々に設定指示を入力し、該入力された設定指示に基づき表面と裏面別々に該当する用紙属性を有効に設定するものであるが、表面用紙属性設定画面３２０ａまたは裏面用紙属性設定画面３２０Ｂのいずれかを用い、表面用紙属性と裏面用紙属性のうちの片面のみの用紙属性の設定指示を入力し、該入力された設定指示に基づき用紙の片面のみ該当する用紙属性を有効に設定することもできることは言うまでもない。
【００８３】
この場合には、表面の用紙属性が設定されてないのに裏面の用紙属性が設定されていたり、逆に、裏面の用紙属性が設定されてないのに表面の用紙属性が設定されていたりすることが起こり得る。
【００８４】
かかる設定状況下において、例えば、片面印刷指示が受付けられる等、特定の条件を満たす時に、表面用紙属性が設定されておらず裏面用紙属性が設定されている場合には、裏面の用紙属性を表面の用紙属性に設定（適用）したり、あるいは、裏面用紙属性が設定されておらず表面用紙属性が設定されている場合には、表面の用紙属性を裏面の用紙属性に設定（適用）するような処理機能（図１３における片面印刷処理参照）を設けても良い。
【００８５】
このように、用紙の片面のみ用紙属性が設定された場合、用紙属性が設定された片面の用紙属性を用紙属性が設定されなかった方の面の用紙属性として適用することで、例えば、図１３に示す片面印刷処理においては、印刷指示された面の用紙属性が設定されていない場合に設定されている面の用紙属性を適用して円滑な片面印刷を実現できる。
【実施例２】
【００８６】
実施例２は、実施例１と同様に、図１に示した画像形成装置１０において、給紙トレイ１３１を開閉して用紙を収容した後に、画像形成装置１０のユーザインターフェース部１１若しくは他の端末のユーザインターフェース部を用いて用紙の属性（表面用紙属性／裏面用紙属性）設定指示を行う場合の画像形成装置１０の制御部１２の用紙属性設定に関する処理機能を有するものであるが、この実施例は、特に、表面用紙属性及び裏面用紙属性の一情報として、印刷面属性を設定可能にした点が実施例１と異なる。
【００８７】
本実施例における用紙属性の設定処理は、基本的には、第１の実施例と同様の処理（図２参照）の流れにより実現される。
【００８８】
但し、本実施例では、図２に示す一連の処理中、ステップＳ１０１で開閉が検知された給紙トレイ１３１をステップＳ１０３で使用不可状態に設定した後、ステップＳ１０４でユーザインターフェース部１１に用紙属性設定選択画面３１０（図４参照）を表示している時に、該用紙属性設定選択画面３１０上で「表面用紙属性の設定」ボタン３１２を押すと、図７（ａ）に示す表面用紙属性設定画面３２０ｃが表示され、また、「裏面用紙属性の設定」ボタン３１３を押すと、図７（ｂ）に示す表面用紙属性設定画面３２０ｄが表示される。
【００８９】
ここで、表面用紙属性設定画面３２０ｃは、実施例１における表面用紙属性設定画面３２０ａ〔図５（ａ）参照〕に、表面用紙属性の１つとして印刷面属性を設定する欄を設けたものであり、同じく、裏面用紙属性設定画面３２０ｄは、実施例１における裏面用紙属性設定画面３２０ｂ〔図５（ｂ）参照〕に、裏面用紙属性の１つとして印刷面属性を設定する欄を設けたものである。
【００９０】
ここで、印刷面属性は、該当する面に対して既に設定指示されている各項目（２ｎｄＢＴＢ電圧、用紙カール量、ＮＩＰ電圧、エアアシスト動作等）の用紙属性の設定を有効にするか無効にするかを指定する情報として用いられる。
【００９１】
この印刷面属性は、該当する面の用紙属性を有効にするか無効にするかを指定できる仕組みになっており、該印刷面属性を有効に設定した場合には、当該印刷面属性と共に画面上の該当欄に入力されている各々の用紙属性の設定指示入力が用紙属性設定部１２２に入力され、当該の面に関してこれら各用紙属性の設定を有効にする用紙属性設定処理が行われ、一方、印刷面属性を無効に設定した場合には、当該印刷面属性と共に画面上の該当欄に入力されている各々の用紙属性の設定指示入力を解除する旨が用紙属性設定部１２２に入力され、当該の面に関してこれら各用紙属性の設定を無効にする処理が行われる。
【００９２】
これにより、例えば、図７（ａ）に示す表面用紙属性設定画面３２０ｃの表示中、２ｎｄＢＴＢ電圧、用紙カール量、ＮＩＰ電圧、エアアシスト動作の各項目の用紙属性が該当各欄に入力されている状態で、ユーザが、当該面の印刷面属性を有効に設定することで当該入力されている各用紙属性を一括して設定することができる。
【００９３】
また、図７（ｂ）に示す裏面用紙属性設定画面３２０ｄの表示中、２ｎｄＢＴＢ電圧、用紙カール量、ＮＩＰ電圧、エアアシスト動作の各項目の用紙属性が該当各欄に入力されている状態で、ユーザが、当該面の印刷面属性を無効に設定することで当該入力されている各用紙属性を一括して無効に設定することができる。
【００９４】
このように、本実施例では、該当する面の用紙属性を有効にするか無効にするかを指定する印刷面属性の表面と裏面別々の設定指示を入力し、該入力された、有効にすることを指示する印刷面属性の設定指示に基づき該当する面の用紙属性を一括して有効に設定し、無効にすることを指示する印刷面属性の設定指示に基づき該当する面の用紙属性を一括して無効に設定することによって、表裏各面の用紙属性の設定を簡単に行えるようになる。
【００９５】
上記の如く、表面用紙属性設定画面３２０ｃ、裏面用紙属性設定画面３２０ｄでの印刷面属性を有効にする設定に基づき該当給紙トレイ１３１に収容される用紙の表面用紙属性、裏面用紙属性が有効にされた後は、実施例１と同様、当該給紙トレイ１３１から給紙された用紙に対する画像形成部１３における画像形成や用紙の制御、エアーの吹き付け等がこの有効にされた表面用紙属性、裏面用紙属性に基づき各面の印刷時毎に制御される（図１２、図１３参照）。
【実施例３】
【００９６】
この実施例３は、実施例１、２と同様に、図１に示した画像形成装置１０において、給紙トレイ１３１を開閉して用紙を収容した後に、画像形成装置１０のユーザインターフェース部１１若しくは他の端末のユーザインターフェース部を用いて用紙の属性設定指示を行う場合の画像形成装置１０の制御部１２の用紙属性設定に関する処理を示すものであるが、この実施例においては、用紙属性の設定指示を用紙ＩＤにより行うようにした点が実施例１、２の処理と異なる。
【００９７】
なお、この実施例の以下の説明においても、用紙の属性設定指示を画像形成装置１０のユーザインターフェース部１１を用いて行う場合について説明するが、用紙の属性設定指示をプリント制御装置３０、画像読取装置４０、情報処理装置５０−１〜５０−ｎのユーザインターフェース部を用いて行う場合も同様に構成することができる。
【００９８】
図８は、実施例３における図１に示した画像形成装置１０の制御部１２の用紙属性設定に関する処理を示すフローチャートである。
【００９９】
図８において、ステップＳ２０１〜Ｓ２０３、ステップＳ２０７，Ｓ２０８の各処理は、図２におけるステップＳ１０１〜Ｓ１０３、ステップＳ１０９，Ｓ１１０の各処理とそれぞれ同等である。
【０１００】
図８においては、ステップＳ２０４〜Ｓ２０６で、図１におけるステップＳ１０４〜Ｓ１０７に相当する用紙属性設定処理を行うが、この場合において、ステップ２０１で開閉された給紙トレイ１３１をステップＳ２０３で使用不可の状態に設定した後、ユーザインターフェース部１１に、図４に示した用紙属性設定選択画面３１０に代えて、図９に示すトレイ用紙設定画面３４０を表示し（ステップ２０４）、該トレイ用紙設定画面３４０を用いて用紙属性の設定指示を入力する。
【０１０１】
この例のトレイ用紙設定画面３４０においては、開閉された給紙トレイ１３１ａ（給紙トレイ１）の設定に際して当該給紙トレイ１に収容した用紙を番号ボタン「１」〜「１２」により選択する（ステップＳ２０５）。
【０１０２】
図９に示すトレイ用紙設定画面３４０においては、番号ボタン「６」を押し、「決定」ボタン３４１を押すことで、番号ボタン「６」に対応する用紙が選択され、この番号ボタン「６」に対応して予め記憶された用紙の用紙属性を含む図１０（ａ）に示す表面用紙属性設定画面３２０ｅが開かれる。
【０１０３】
この表面用紙属性設定画面３２０ｅ上で「反対面」ボタン３２２ｅを押すと、図１０（ａ）に示す裏面用紙属性設定画面３２０ｆが表示され、また、該裏面用紙属性設定画面３２０ｆ上で「反対面」ボタン３２２ｆを押すと、図１０（ａ）に示す裏面用紙属性設定画面３２０ｆの表示に戻る。
【０１０４】
ユーザは、表面用紙属性設定画面３２０ｅ、裏面用紙属性設定画面３２０ｆを、図７における表面用紙属性設定画面３２０ｃ、裏面用紙属性設定画面３２０ｄと同様に操作することで、１または複数の項目の表面用紙属性あるいは裏面用紙属性の設定指示を入力することができる。
【０１０５】
表面用紙属性設定画面３２０ｅ，裏面用紙属性設定画面３２０ｆ上で「決定」ボタン３２１ｅ，３２１ｆが押されると、ユーザインターフェース部１１の表示は図９におけるトレイ用紙設定画面３４０に戻される。
【０１０６】
次いで、このトレイ用紙設定画面３４０上で、「決定」ボタン３４１を押す（ステップＳ２０５ＹＥＳ）と、この給紙トレイ１に対し、番号ボタン「６」に対応する用紙の用紙属性の設定指示がなされ、この設定指示が入力される用紙属性設定部１２２では、該入力された設定指示に基づき、該用紙トレイ１に番号ボタン「６」の用紙を関連付け、更に、この番号ボタン「６」の用紙に表面用紙属性設定画面３２０ｅ，裏面用紙属性設定画面３２０ｆによる設定指示内容に対応する表面用紙属性、裏面用紙属性を関連付けてこれを有効に設定する用紙属性設定処理を行う（ステップＳ２０６）。
【０１０７】
この実施例３の構成によれば、給紙トレイ１３１に収容する各種用紙に対応して表面または裏面若しくは両面に用紙属性を予め設定しておけば、給紙トレイ１３１の用紙を変更した場合に、該給紙トレイ１３１に関連付ける用紙の番号を選択するだけで容易に用紙属性（表面用紙属性／裏面用紙属性）の設定指示を行うことが可能になる。
【０１０８】
なお、上記実施例１乃至３において、ユーザインターフェース部１１を用いた属性設定指示は、給紙トレイ１３１のいずれかが開閉された場合にのみ受け付けるように構成してもよい。
【０１０９】
また、給紙トレイが開閉された時に、該給紙トレイに収容された用紙の用紙属性を検知し、ユーザインターフェース部１１を用いた属性設定指示と検知された用紙属性との全部若しくは一部が異なる場合のみユーザインターフェース部１１を用いた属性設定指示を受け付けるように構成してもよい。
【０１１０】
実施例３における用紙属性設定方式は、用紙を一意の識別子によって表わし、該識別子で表わされる用紙の属性群を、該識別子に関連付けてユーザに設定指示させる用紙属性設定指示入力段階（図１１に示す第１段階）と、該用紙属性設定指示入力段階で用紙の属性群を関連付けられた識別子を給紙トレイ１３１に関連付けることにより、該給紙トレイ１３１に収容する用紙を設定指示する給紙用紙設定指示段階（図１１に示す第２段階）を経て給紙トレイ１３１に対してそこに収容される用紙の用紙属性を設定する方式といえる。
【０１１１】
この実施例の用紙属性設定方式によれば、上記用紙属性設定指示入力段階と、給紙用紙設定指示段階を経て、用紙属性設定部１２２内には、最終的には、図１１に示すような内容の用紙属性データ１２５が設定されることになる。
【０１１２】
図１１に示す用紙属性データ１２５の設定例によれば、各用紙トレイ１３１に対応してそこに収容される用紙の識別子が関連付けられると共に、該用紙の識別に対応して更に該用紙の表面及び裏面の用紙属性値が関連付けられた内容となっている。
【０１１３】
このように、各給紙トレイ１３１に用紙識別紙を関連付け、該各用紙識別子に、更に、当該各用紙の表面及び裏面別の用紙属性値を関連付けて成る用紙属性（用紙属性データ１２５）を保持した画像形成装置１０において、制御部１２は、給紙トレイ１３１から給紙された用紙に対する画像の形成時、該給紙トレイ１３１に関連付けられた用紙の識別子に更に関連付けされている（両面にかつ片面別々に関連付け可能）用紙属性（印刷制御パラメータ）に基づき当該画像形成を行う。
【０１１４】
以下、本実施例に係わる画像形成装置１０を例に挙げ、その制御部１２による用紙属性に基づく画像形成制御動作について説明する。
【０１１５】
図１２は、実施例３に係わる画像形成装置１０の画像形成処理動作を示すフローチャートである。
【０１１６】
図１２において、制御部１２は、当該画像形成装置１０にネットワーク接続される他端末（情報処理装置５０−１〜５０ｎ等）から、例えば、何（印対象画像データ）を、何部（印刷部数）、どの用紙で（印刷用紙種別）、どの面に印刷〔印刷面（両面若しくは片面印刷）〕するかといった指示項目を含む印刷指示を受信したかどうかを監視する（ステップＳ３０１）。
【０１１７】
ここで、印刷指示が受信されると（ステップＳ３０１ＹＥＳ）、制御部１２は、該印刷指示内容を解析し（ステップＳ３０２）、例えば、その印刷用紙種別から給紙元の給紙トレイ１３１を決定（ステップＳ３０３）したうえで、該給紙トレイ１３１に対応して設定されている用紙属性を用紙属性設定部１２２から取得する（ステップＳ３０４）。
【０１１８】
次いで、制御部１２は、ステップＳ３０１で受付けた印刷指示によって指示された印刷面が両面であるか否かをチェックし（ステップＳ３０５）、ここで、両面印刷指示でない場合（ステップＳ３０５ＮＯ）、図１３に詳細を示す片面印刷処理（ステップＳ３３０）に進む。
【０１１９】
これに対して、両面印刷指示であった場合（ステップＳ３０５ＹＥＳ）、次いで、制御部１２は、用紙属性設定部１２２に設定されている用紙属性中、当該給紙トレイ１３１に関連付けられている用紙の用紙属性として両面共に印刷面属性が設定されている（有効）か否かをチェックする（ステップ３２０６）。
【０１２０】
ここで、両面共に印刷面属性の設定が有効に設定されている場合（ステップＳ３０６ＹＥＳ）、制御部１２は、上記ステップＳ３０３で決定した給紙トレイ１３１から用紙の給紙を開始し（ステップＳ３２１）、当該給紙トレイ１３１に対応して設定されている表面用紙属性に従って当該給紙中の用紙の表面に１頁目の画像データを印刷し（ステップＳ３２２）、その後、当該用紙を反転搬送（ステップＳ３２３）しながら、当該給紙トレイ１３１に対応して設定されている裏面用紙属性に従って当該給紙中の用紙の裏面に２頁目の画像データを印刷し（ステップＳ３２４）、該両面印刷完了後の用紙を排出部に排出して処理を終了する。
【０１２１】
これに対して、両面共に印刷面属性が有効に設定されていない場合、すなわち、表面と裏面のいずれにも設定されていない場合、若しくは、そのうちの一方にしか設定されていない場合（ステップＳ３０６ＮＯ）、制御部１２は、印刷面属性無効警告通知を実行する旨が設定されているか否かをチェックする（ステップＳ３０７）。
【０１２２】
ここで、上記警告通知を行う旨が設定されている場合（ステップＳ３０７ＹＥＳ）、制御部１２は、例えば、ユーザインターフェース部１１に図１４に示すような警告表示画面３５０を表示する（ステップＳ３０８）。
【０１２３】
この警告表示画面３５０には、印刷面属性が無効になっている旨「指定されたトレイは、印刷面が無効となっています。」と、各面が有効になっているか無効になっているかを示す情報が表示され、この警告表示画面３５０は、「閉じる」ボタン３５１を押すことにより閉じられる。
【０１２４】
なお、両面印刷指示の受付け時に印刷面属性が無効に設定されている場合にその旨（印刷面が無効になっている旨）を図１４に示す警告表示画面３５０を用いて行うか否かについては、予め、例えば、図１５に示す警告表示選択画面３６０を用いてユーザインターフェース部１１により設定することができる。
【０１２５】
ユーザは、この警告表示選択画面３６０上で、両面印刷指定時の警告表示選択に関する「する」ボタン３６２を押した後、「決定」ボタン３６１を押すことで警告表示を行う旨を設定でき、また、「しない」ボタン３６３を押し、更に、「決定」ボタン３６１を押すことで警告表示を行わない旨を設定できる。
【０１２６】
上記警告表示画面３５０により印刷面属性が無効である旨を警告（ステップＳ３０８）した後、あるいは、上記警告表示を行う旨が設定されていない場合（ステップＳ３０７ＮＯ）、制御部１２は、印刷面属性無効時の動作設定（印刷面無効時適応動作設定）内容をチェックする（ステップＳ３０９）。
【０１２７】
具体例として、ここで、制御部１２は、印刷面属性無効時適応動作として、両面印刷指示を無効にする旨、保留にする旨、自動で片面印刷を行う旨のいずれか設定されているかをチェックする。
【０１２８】
そして、両面印刷指示を無効にする旨が設定されている場合（ステップＳ３１０で無効）、例えば、その後直ちに動作を終了する等、両面印刷指示を無効（ステップＳ３１１）にする制御を行なう。
【０１２９】
また、両面印刷指示を保留にする旨が設定されている場合（ステップＳ３１０で保留）、例えば、ユーザインターフェース部１１に両面の印刷面属性を有効に設定することを促すを旨を表示し、ここで、両面の印刷面属性が有効にされた場合に両面印刷を再開する等、両面印刷指示を保留（ステップＳ３１２）にする制御を行なう。
【０１３０】
また、自動で片面印刷する旨が設定されている場合（ステップＳ３１０で片面印刷）、上記ステップＳ３０３で決定された給紙トレイ１３１から用紙を順次給紙し、該各用紙に対して両面印刷指示された各頁の画像データを順次片面印刷（ステップＳ３１３）する制御を行なう。
【０１３１】
この片面印刷時の印刷制御パラメータは、例えば、有効に設定されている面があれば、当該面の用紙属性に基づいて制御し、両面共に無効に設定されている場合はデフォルトの用紙属性に基づいて制御するようにしても良い。
【０１３２】
なお、印刷面属性が無効になっている時の両面印刷指示に対して無効、保留、自動片面印刷のうちのどの動作で対処するかについては、予め、例えば、図１６に示す両面印刷指定時の出力選択設定画面３７０を用いてユーザインターフェース部１１により設定することができる。
【０１３３】
ユーザは、この出力選択設定画面３７０上で、両面印刷指定時の出力選択に関する「無効」ボタン３７２、「保留」ボタン３７３、「自動出力」ボタン３７４のいずれかを選択的に押した後、「決定」ボタン３７１を押すことで、それぞれ、両面印刷指示を無効にする旨、両面印刷指示を保留にする旨、片面印刷で自動出力する旨を選択的に設定することができる。
【０１３４】
図１２に示す一連の処理中、ステップＳ３０５で、印刷指示が片面印刷指示であると判定された場合（ステップＳ３０５ＮＯ）、制御部１２は、片面印刷へと処理を進めるが、この片面印刷処理（ステップＳ３３０）について図１３に示すフローチャートを参照して説明する。
【０１３５】
図１３に示す片面印刷処理において、制御部１２は、まず、当該片面印刷指示によって指定される印刷面は表面であるか裏面であるかをチェックする（ステップＳ３２１）。
【０１３６】
ここで、印刷面が表面であると判定された場合（ステップＳ３３１で表面）、制御部１２は、図１１に示す用紙属性データ１２５の設定内容を参照することにより、上記ステップＳ３０３（図１２参照）で給紙元に決定された給紙トレイ１３１に対応する表面用紙属性中の印刷面属性（表面印刷面属性）が有効であるか否かをチェックし（ステップＳ３３２）、該表面印刷面属性が有効であれば（ステップＳ３３２ＹＥＳ）、該表面用紙属性を表面印刷に用いる用紙属性として確定する（ステップＳ３３５）。
【０１３７】
また、表面印刷面属性が無効であれば（ステップＳ３３２ＮＯ）、当該給紙トレイ１３１に対応する裏面用紙属性中の印刷面属性（裏面印刷面属性）が有効であるか否かをチェックし（ステップＳ３３３）、該裏面印刷面属性が有効であれば（ステップＳ３３３ＹＥＳ）、該裏面用紙属性を表面印刷に用いる用紙属性として確定する（ステップＳ３３５）。
【０１３８】
また、裏面印刷面属性が無効であれば（ステップＳ３３３ＮＯ）、デフォルトの用紙属性を設定し（ステップＳ３３４）、該デフォルトの用紙属性を表面印刷に用いる用紙属性として確定する（ステップＳ３３５）。
【０１３９】
上述の如く用紙属性を確定（ステップＳ３３５）した後、制御部１２は、上記ステップＳ３０３（図１２参照）で給紙元に決定した給紙トレイ１３１から用紙の給紙を開始し（ステップＳ３３６）、上記ステップＳ３３５で確定した用紙属性（表面用紙属性、裏面用紙属性あるいはデフォルトの用紙属性）に基づき当該用紙の表面に画像データを印刷し（ステップＳ３３７）、印刷完了後、該用紙を排出部に排出して処理を終了する。
【０１４０】
一方、印刷面が裏面であると判定された場合（ステップＳ３３１で裏面）、制御部１２は、図１１に示す用紙属性データ１２５の設定内容を参照することにより、上記ステップＳ３０３（図１２参照）で給紙元に決定された給紙トレイ１３１に対応する裏面用紙属性中の印刷面属性（裏面印刷面属性）が有効であるか否かをチェックし（ステップＳ３４１）、該裏面印刷面属性が有効であれば（ステップＳ３４１ＹＥＳ）、該裏面用紙属性を裏面印刷に用いる用紙属性として確定する（ステップＳ３４４）。
【０１４１】
また、裏面印刷面属性が無効であれば（ステップＳ３４１ＮＯ）、当該給紙トレイ１３１に対応する表面用紙属性中の印刷面属性（表面印刷面属性）が有効であるか否かをチェックし（ステップＳ３４２）、該表面印刷面属性が有効であれば（ステップＳ３４２ＹＥＳ）、該表面用紙属性を裏面印刷に用いる用紙属性として確定する（ステップＳ３４４）。
【０１４２】
また、表面印刷面属性が無効であれば（ステップＳ３４２ＮＯ）、デフォルトの用紙属性を設定し（ステップＳ３４３）、該デフォルトの用紙属性を裏面印刷に用いる用紙属性として確定する（ステップＳ３４４）。
【０１４３】
上述の如く用紙属性を確定（ステップＳ３４４）した後、制御部１２は、上記ステップＳ３０３（図１２参照）で給紙元に決定した給紙トレイ１３１から用紙の給紙を開始し（ステップＳ３４５）、表面に未印字のまま該用紙を更に反転搬送（ステップＳ３４６）しながら、上記ステップＳ３４４で確定した用紙属性（裏面用紙属性、表面用紙属性あるいはデフォルトの用紙属性）に基づき当該用紙の裏面に画像データを印刷し（ステップＳ２４７）、印刷完了後、該用紙を排出部に排出して処理を終了する。
【０１４４】
このように、本発明によれば、用紙の各項目の属性を用紙の表裏別々に持ち、画像形成装置１０に直接接続されたユーザインターフェース部１１（若しくは、画像形成装置１０にネットワーク２０または専用線で接続された画像読取装置４０または情報処理装置５０等の他の端末）から、各給紙トレイに収容された用紙の各種属性を表裏別々に設定したり、あるいは片面のみに設定可能としている。
【０１４５】
かかる構成によれば、給紙トレイに両面印刷ができない用紙（例えば、ＯＨＰシート、裏紙、片面に印刷済みの用紙）をセットする際、該用紙の印刷許可する面（片面）に関する用紙属性のユーザによる設定指示入力を受付けて、該入力された設定指示に基づき該給紙トレイにセットした用紙の当該面（片面）の用紙属性の設定を有効にすることで、その後、印刷指示に基づき、該給紙トレイから上記用紙を給紙して印刷する際、該給紙トレイにセットされる両面印刷ができない用紙に対して上記の如くその片面にのみ用紙属性が設定（有効）されていること認知して該用紙が両面印刷できない用紙であることを認識できると共に、該設定された片面の用紙属性に基づき該給紙トレイから給紙した用紙の該当する面（片面）にのみ該用紙属性に基づく最適な画像を形成することができる。
【０１４６】
これにより、本発明では、ＯＨＰシートや裏紙がセットされた給紙トレイを対象にした両面印刷指示があった場合に、該給紙トレイにセットされた用紙に両面印刷がなされることを防止でき、使い物にならない印刷のために用紙や時間が浪費されることを回避できる。
【０１４７】
また、本発明の上記構成によれば、給紙トレイに両面印刷が可能でかつ各面の用紙属性が異なる用紙をセットする際、該用紙の表面と裏面各々に関する用紙属性のユーザによる設定指示入力を受付けて、該入力された設定指示に基づき該給紙トレイにセットした用紙の両面個別の用紙属性の設定を有効にすることで、その後、印刷指示に基づき、該給紙トレイから上記用紙を給紙して印刷する際、該給紙トレイにセットされる両面印刷可能な用紙に対して上記の如く各面別々に用紙属性が設定（有効）されていること認知して該用紙が両面印刷可能な用紙であることを認識できると共に、該用紙の表面及び裏面に、該各々の面の用紙属性に基づく画像形成を施すことで、用紙の表面及び裏面に各々該当する面の用紙属性に基づく最適な画像形成がなされた両面印刷を実現できる。
【０１４８】
これにより、本発明では、両面印刷が可能で各面の印刷属性が異なる用紙を用いた場合も、裏面と表面とで異なる用紙属性を適用することで、各面のそれぞれに最適な画像形成が行える。
【０１４９】
また、本発明では、用紙の各種属性の一つとして、表裏別々に設定でき、該設定された面の既に設定指示されている用紙の各種属性を有効にするか無効にするかを一括指定する印刷面属性を用いている。
【０１５０】
この印刷面属性を用紙の各種属性の一つとして採用した本発明の構成によれば、用紙の各面に対応して該印刷面属性を有効にすることで、当該面に設定指示されている当該用紙の他の各種属性を一括して当該面に設定でき、また、該印刷面属性を無効にすれば、当該面に設定指示されている当該用紙の全ての属性を一括して未設定の状態（無効）にすることができる。
【０１５１】
また、本発明では、画像形成装置１０に直接接続されたユーザインターフェース部１１（若しくは、画像形成装置１０にネットワーク２０または専用線で接続された画像読取装置４０または情報処理装置５０等の他の端末）から両面印刷指示を受付けた際に上記印刷面属性を参照することで以下のような制御が行える。
【０１５２】
例えば、両面印刷指示の受付け時、該両面印刷指示がなされた該当給紙トレイ（給紙元の給紙トレイ）に収容される用紙の印刷面属性が有効に設定されているか無効に設定されているかを判定し、ここで、該用紙の少なくとも一方の面の印刷面属性が無効に設定されていると判定された場合には、印刷面属性が無効であることを警告メッセージ等により報知する制御が行える。
【０１５３】
また、両面印刷指示の受付け時、該両面印刷指示がなされた該当給紙トレイに収容される用紙の少なくとも一方の面の印刷面属性が無効に設定されていると判定された場合、該両面印刷指示を無効または保留にする適応制御が行える。
【０１５４】
また、両面印刷指示の受付け時、該両面印刷指示がなされた該当給紙トレイに収容される用紙の少なくとも一方の面の印刷面属性が無効に設定されていると判定された場合、該用紙に自動で片面印刷を実行する適応制御が行える。
【０１５５】
これら各制御に関しては、警告報知を行うか否か、両面印刷指示を無効または保留するか、自動片面印刷を行うか否かを事前に設定しておき、この事前の設定に従って、上記警告報知、自動片面印刷を行うかどうか、あるいは両面印刷を無効または保留扱いのいずれにするかを決定するようにしても良い。
【０１５６】
この他、本発明は、上記し、且つ図面に示す実施例に限定することなく、その要旨を変更しない範囲内で適宜変形して実施できるものである。
【０１５７】
例えば、実施例３においては、用紙を一意の識別子で表し、この識別子で表される用紙の表裏各面の属性群を該識別子に関連付けてユーザに設定指示させる用紙属性設定指示入力処理と、上記識別子を給紙トレイに関連付けることにより該給紙トレイに収容する用紙を設定指示する給紙用紙設定指示処理とによって、給紙トレイと、該給紙トレイに収容される用紙（識別子）と、該識別子を持つ用紙の表裏各面の各種属性との間を関連付けることで用紙属性を設定する方式を採用しているが、この場合における用紙の識別子は、実施例３（図９）で例示した番号ボタン「６」といった数値に限るものではなく、例えば、コート紙、非コート紙、Ａ社コート紙、Ｂ社非コート紙、ＯＨＰシート等のように、文字列を用いることも可能である。
【０１５８】
また、制御部１２の制御の下に、ユーザインターフェース部１１（若しくは、画像形成装置１０にネットワーク２０または専用線で接続された画像読取装置４０または情報処理装置５０等の他の端末）に対して通知情報を表示する等の方法で、ユーザへ各種の情報通知を行う適宜な情報通知手段と、給紙トレイに収容された用紙の特定の属性（サイズや紙種等）を検知可能な特定用紙属性検知手段とを設け、上記検知手段により検知された特定の属性と、上記給紙用紙設定指示処理によって給紙トレイに関連付けられた識別子に、上記用紙属性設定指示入力処理によって関連付けられた用紙属性中の特定の属性が一致しない場合に、属性が一致しない旨を上記通知手段によってユーザに通知する構成としても良い。
【０１５９】
更には、ユーザインターフェース部１１等から、印刷指示操作によって、印刷対象の画像データを画像形成装置１０に入力する際に、該画像データの印刷に使用する特定の属性を入力する印刷指示手段を設け、印刷指示操作時に上記印刷指示手段により入力される特定の属性と、上記給紙用紙設定指示処理によって給紙トレイに関連付けられた識別子に、上記用紙属性設定指示入力処理によって関連付けられた用紙属性中の特定の属性が一致しない場合に、属性が一致しない旨を上記通知手段によってユーザに通知する構成としても良い。
【産業上の利用可能性】
【０１６０】
本発明は、用紙を収容する１または複数の給紙装置を有し、この給紙装置から給紙された用紙に画像を形成する画像形成処理を行う画像形成装置全般に適用でき、ユーザが、給紙装置に収容する用紙の表面用紙属性と裏面用紙属性の設定指示を入力すると、該入力された設定指示に基づく給紙装置に収容する用紙の表面用紙属性と裏面用紙属性の設定を有効にする処理を行うことで、両面印刷できない用紙には片面にのみ、できる用紙には両面に、各面毎に最適な画像形成を行う給紙装置対用紙属性の対応付け設定が可能になる。
【図面の簡単な説明】
【０１６１】
【図１】本発明に係る画像形成装置の一概略構成例を示すブロック図。
【図２】実施例１に係わる画像形成装置の用紙属性設定処理を示すフローチャート。
【図３】用紙属性設定の要求設定画面の表示例を示す図。
【図４】用紙属性設定選択画面の表示例を示す図。
【図５】実施例１の表面用紙属性設定画面及び裏面用紙属性設定画面の表示例を示す図。
【図６】用紙属性設定確認画面の表示例を示す図。
【図７】実施例２の表面用紙属性設定画面及び裏面用紙属性設定画面の表示例を示す図。
【図８】実施例３に係わる画像形成装置の用紙属性設定処理を示すフローチャート。
【図９】トレイ用紙設定画面の表示例を示す図。
【図１０】実施例３の表面用紙属性設定画面及び裏面用紙属性設定画面の表示例を示す図。
【図１１】用紙属性データの設定例を示す表図。
【図１２】実施例３に係わる画像形成装置の画像形成処理動作を示すフローチャート。
【図１３】図１２における片面印刷処理の詳細な流れを示すフローチャート。
【図１４】警告表示画面の表示例を示す図。
【図１５】警告表示選択画面の表示例を示す図。
【図１６】両面印刷指定時出力選択設定画面の表示例を示す図。
【符号の説明】
【０１６２】
１０…画像形成装置、１１…ユーザインターフェース部、１２…制御部、１２１…設定指示入力部、１２２…用紙属性設定部、１２５…用紙属性データ、１３…画像形成部、１３１ａ…給紙トレイ１、１３１ｂ…給紙トレイ２、１３１ｃ…給紙トレイ３、１３１ｄ…給紙トレイ４、１４０…トレイ開閉検出部、２０…ネットワーク、３０…プリント制御装置、４０…画像読取装置、５０−１，…，５０−ｎ…情報処理装置、３００…用紙属性設定の要求設定画面、３１０…用紙属性設定選択画面、３２０ａ，３２０ｃ，３２０ｅ…表面用紙属性設定画面、３２０ｂ，３２０ｄ，３２０ｆ…裏面用紙属性設定画面、３３０…用紙属性設定確認画面、３４０…トレイ用紙設定画面、３５０…警告表示画面、３６０…警告表示選択画面、３７０…両面印刷指定時出力選択設定画面
【図１】
2007047662.tif 000003
【図２】
2007047662.tif 000004
【図３】
2007047662.tif 000005
【図４】
2007047662.tif 000006
【図５】
2007047662.tif 000007
【図６】
2007047662.tif 000008
【図７】
2007047662.tif 000009
【図８】
2007047662.tif 000010
【図９】
2007047662.tif 000011
【図１０】
2007047662.tif 000012
【図１１】
2007047662.tif 000013
【図１２】
2007047662.tif 000014
【図１３】
2007047662.tif 000015
【図１４】
2007047662.tif 000016
【図１５】
2007047662.tif 000017
【図１６】
2007047662.tif 000018